(57)【特許請求の範囲】
【請求項１】
長尺状箱体と長尺状前面板から形成される閉断面の内部に補強体が設けられ、
前記長尺状前面板側が荷重の入力側となる向きに設置されたバンパリインフォースメントであって、
前記補強体は、前記長尺状箱体の第１上面と第１下面および第１後面に近接して対向するように内設され、
少なくとも前記長尺状箱体の第１後面に固定され、
前記長尺状箱体は、
第１前面が開放され、前記第１前面に対向して設けられた前記第１後面と、前記第１後面の上側から前記第１前面に向かって延設された前記第１上面と、前記第１後面の下側から前記第１前面に向かって延設されるとともに前記第１上面に対向して設けられた前記第１下面と、前記第１上面の前記第１前面側から上方に向かって延設された第１上側フランジと、前記第１下面の前記第１前面側から下方に向かって延設された第１下側フランジを有し、
前記長尺状前面板は、
前記長尺状箱体の第１上側フランジと第１下側フランジを固定し、
前記補強体は、
第２後面と、前記第２後面の上側から斜め上方に向かって延設された上側傾斜面と、前記第２後面の下側から斜め下方に向かって延設された下側傾斜面と、前記上側傾斜面の上側から延設された第２上面と、前記下側傾斜面の下側から延設されるとともに前記第２上面に対向して設けられた第２下面を有し、前記長尺状箱体に内設され、
前記補強体の第２後面は、前記長尺状箱体の第１後面に対向するとともに前記長尺状箱体の第１後面に固定され、
前記補強体の第２上面は、前記長尺状箱体の第１上面近傍で前記長尺状箱体の第１上面に対向し、
前記補強体の第２下面は、前記長尺状箱体の第１下面近傍で前記長尺状箱体の第１下面に対向することを特徴とするバンパリインフォースメント。
【請求項２】
請求項１に記載するバンパリインフォースメントであって、
前記補強体は、前記長尺状箱体の長尺方向中央で前記長尺状箱体に内設されることを特徴とするバンパリインフォースメント。
【請求項３】
請求項２に記載するバンパリインフォースメントであって、
前記補強体は、
前記第２上面及び前記第２下面から延設された第２前面を備え、
前記補強体の第２前面は、前記長尺状箱体の第１前面に対向することを特徴とするバンパリインフォースメント。
【請求項４】
請求項２に記載するバンパリインフォースメントであって、
前記補強体は、
前記第２上面から上方に向かって延設された第２上側フランジと、
前記第２下面から下方に向かって延設された第２下側フランジを備え、
前記補強体の第２上側フランジは、前記長尺状箱体の第１上側フランジと前記長尺状前面板の間に挟んだ状態で取り付けられ、
前記補強体の第２下側フランジは、前記長尺状箱体の第１下側フランジと前記長尺状前面板の間に挟んだ状態で取り付けられることを特徴とするバンパリインフォースメント。
【発明の詳細な説明】
【技術分野】
【０００１】
本発明は、車両の衝突エネルギーを吸収するバンパリインフォースメントに関するものである。
【背景技術】
【０００２】
従来より、車両衝突時の安全性を確保するために、衝突エネルギーを吸収するバンパリインフォースメントが車両に用いられている。
【０００３】
具体的には、例えば、下記特許文献１において、自動車車体の前部にこの自動車車体の幅方向へ向けて延びて設けられる長尺の筒体により構成されるバンパリインフォースメントが提案されている。特許文献１に記載のバンパリインフォースメントでは、筒体の長手方向の中央は、上面および下面と、この上面、下面に直交または傾斜して交差する車体の前後方向に前面（衝突面）および後面（反衝突面）とを車体の前後方向に備えるとともに、上面および下面に外向きフランジを備える、いわゆるハット型の閉断面形状から構成される。
【０００４】
さらに、特許文献１では、汎用動的有限要素法解析ソフトを用いて、特許文献１の図１に示すハット状開断面形状を有する素材（以下「ハット状開断面素材」という）と平坦状断面素材（以下、板状素材ともいう）を、ハット状開断面素材の縁部の外向きフランジにおいて重ね合わせてスポット溶接することにより組み立てられるハット状閉断面部材（以下「ハット部材」という）の耐曲げ性能および圧潰性能（衝突エネルギ吸収性能）を、解析して求めている。
【０００５】
さらに、特許文献１では、ハット状開断面素材側からインパクタを衝突させた場合、すなわち特許文献１の図２、３に示す場合のハット部材（以下、「順ハット断面部材」という）と、板状素材側からインパクタを衝突させた場合のハット部材（以下、「逆ハット断面部材」という）とについて、三点曲げ衝突解析および圧潰解析により、耐曲げ性能および衝撃エネルギ吸収性能を調査している。
【０００６】
特許文献１の図４にグラフで示す結果によれば、逆ハット断面部材は、順ハット断面部材に比較すると、衝突の際の断面形状の変形に対する抵抗性が高いために曲げ強度は高い。
【先行技術文献】
【特許文献】
【０００７】
【特許文献１】特許第５１６８０２３号公報
【発明の概要】
【発明が解決しようとする課題】
【０００８】
しかしながら、特許文献１の図５にグラフで示す結果によれば、逆ハット断面部材には、板状素材が接合されておらず、ハット状開断面素材のハット頂部側から変形が生じるため、順ハット断面部材に比較すると衝撃エネルギ吸収性能が良いとは言えない。
【０００９】
そこで、本発明は、上述した点を鑑みてなされたものであり、いわゆる逆ハット型の閉断面形状の断面崩れを抑制することにより、単位質量あたりのピーク荷重及びエネルギー吸収量を向上させることが可能なバンパリインフォースメントを提供することを課題とする。
【課題を解決するための手段】
【００１０】
この課題を解決するためになされた請求項１に係るバンパリインフォースメントは、長尺状箱体と長尺状前面板から形成される閉断面の内部に補強体が設けられ、前記長尺状前面板側が荷重の入力側となる向きに設置されたバンパリインフォースメントであって、前記補強体は、前記長尺状箱体の第１上面と第１下面および第１後面に近接して対向するように内設され、少なくとも前記長尺状箱体の第１後面に固定され、前記長尺状箱体は、第１前面が開放され、前記第１前面に対向して設けられた前記第１後面と、前記第１後面の上側から前記第１前面に向かって延設された前記第１上面と、前記第１後面の下側から前記第１前面に向かって延設されるとともに前記第１上面に対向して設けられた前記第１下面と、前記第１上面の前記第１前面側から上方に向かって延設された第１上側フランジと、前記第１下面の前記第１前面側から下方に向かって延設された第１下側フランジを有し、前記長尺状前面板は、前記長尺状箱体の第１上側フランジと第１下側フランジを固定し、前記補強体は、第２後面と、前記第２後面の上側から斜め上方に向かって延設された上側傾斜面と、前記第２後面の下側から斜め下方に向かって延設された下側傾斜面と、前記上側傾斜面の上側から延設された第２上面と、前記下側傾斜面の下側から延設されるとともに前記第２上面に対向して設けられた第２下面を有し、前記長尺状箱体に内設され、前記補強体の第２後面は、前記長尺状箱体の第１後面に対向するとともに前記長尺状箱体の第１後面に固定され、前記補強体の第２上面は、前記長尺状箱体の第１上面近傍で前記長尺状箱体の第１上面に対向し、前記補強体の第２下面は、前記長尺状箱体の第１下面近傍で前記長尺状箱体の第１下面に対向することを特徴とする。
【００１１】
請求項２に係るバンパリインフォースメントは、請求項１に記載するバンパリインフォースメントであって、前記補強体は、前記長尺状箱体の長尺方向中央で前記長尺状箱体に内設されることを特徴とする。
【００１２】
請求項３に係るバンパリインフォースメントは、請求項２に記載するバンパリインフォースメントであって、前記補強体は、前記第２上面及び前記第２下面から延設された第２前面を備え、前記補強体の第２前面は、前記長尺状箱体の第１前面に対向することを特徴とする。
【００１３】
請求項４に係るバンパリインフォースメントは、請求項２に記載するバンパリインフォースメントであって、前記補強体は、前記第２上面から上方に向かって延設された第２上側フランジと、前記第２下面から下方に向かって延設された第２下側フランジを備え、前記補強体の第２上側フランジは、前記長尺状箱体の第１上側フランジと前記長尺状前面板の間に挟んだ状態で取り付けられ、前記補強体の第２下側フランジは、前記長尺状箱体の第１下側フランジと前記長尺状前面板の間に挟んだ状態で取り付けられることを特徴とする。
【発明の効果】
【００１４】
請求項１及び２に係るバンパリインフォースメントでは、長尺状箱体と長尺状前面板から形成される閉断面の内部に補強体が設けられ、長尺状前面板側が荷重の入力側となる向きに設置される。従って、請求項１及び２に係る発明のバンパリインフォースメントは、いわゆる逆ハット型の閉断面形状を備えている。さらに、請求項１及び２に係るバンパリインフォースメントでは、補強体は、長尺状箱体の第１上面と第１下面および第１後面に近接して対向するように内設され、少なくとも長尺状箱体の第１後面に固定される。このような構成により、長尺状前面板側に衝突が起きた場合では、長尺状箱体の第１上面や第１下面は、長尺状箱体の内側に変形して、補強体に当接する。つまり、長尺状箱体では、長尺状箱体の第１上面や第１下面が長尺状箱体の内側に変形するが、その変形は補強体に阻害されるので、断面崩れが抑制される。従って、請求項１及び２に係る発明のバンパリインフォースメントは、いわゆる逆ハット型の閉断面形状の断面崩れを抑制することにより、単位質量あたりのピーク荷重及びエネルギー吸収量を向上させることが可能である。
【００１５】
請求項１及び２に係る発明のバンパリインフォースメントでは、長尺状箱体の第１前面が開放される一方、長尺状箱体の第１上側フランジと第１下側フランジに長尺状前面板が固定される。従って、請求項１及び２に係る発明のバンパリインフォースメントは、いわゆる逆ハット型の閉断面形状を備えている。
【００１６】
さらに、請求項１及び２に係る発明のバンパリインフォースメントは、長尺状箱体の長尺方向中央で長尺状箱体に内設された補強体を備えており、補強体の第２後面は、長尺状箱体の第１後面に対向するとともに長尺状箱体の第１後面に固定され、補強体の第２上面は、長尺状箱体の第１上面近傍で長尺状箱体の第１上面に対向し、補強体の第２下面は、長尺状箱体の第１下面近傍で長尺状箱体の第１下面に対向する。
【００１７】
このような構成により、長尺状箱体の長尺方向中央で長尺状前面板に衝突が起きた場合では、長尺状箱体の第１上面や第１下面のうち、補強体の第２上面や第２下面の近傍に位置する部分は、長尺状箱体の内側に変形して、補強体の第２上面や第２下面に当接する。つまり、長尺状箱体の長尺方向中央では、長尺状箱体の第１上面や第１下面が長尺状箱体の内側に変形するが、その変形は補強体の第２上面や第２下面に阻害されるので、断面崩れが抑制される。従って、請求項１及び２に係る発明のバンパリインフォースメントは、いわゆる逆ハット型の閉断面形状の断面崩れを抑制することにより、単位質量あたりのピーク荷重及びエネルギー吸収量を向上させることが可能である。
【００１８】
請求項３に係る発明のバンパリインフォースメントでは、補強体は、第２上面及び第２下面から延設された第２前面を備え、補強体の第２前面は、長尺状箱体の第１前面に対向する。このような構成により、補強体の第２上面や第２下面は変形し難くなる。従って、請求項３に係る発明のバンパリインフォースメントでは、長尺状箱体の内側変形を阻害させる効果が高い。
【００１９】
請求項４に係る発明のバンパリインフォースメントでは、補強体は、第２上面から上方に向かって延設された第２上側フランジと、第２下面から下方に向かって延設された第２下側フランジを備え、補強体の第２上側フランジは、長尺状箱体の第１上側フランジと長尺状前面板の間に挟んだ状態で取り付けられ、補強体の第２下側フランジは、長尺状箱体の第１下側フランジと前記長尺状前面板の間に挟んだ状態で取り付けられる。このような構成により、補強体の第２上面や第２下面は変形し難くなる。従って、請求項４に係る発明のバンパリインフォースメントでは、長尺状箱体の内側変形を阻害させる効果が高い。
【図面の簡単な説明】
【００２０】
【図１】本実施形態に係るバンパリインフォースメントを表した斜視図である。
【図２】同バンパリインフォースメントの長尺状箱体を表した斜視図である。
【図３】同バンパリインフォースメントを表した平面図である。
【図４】第１実施形態の長尺状箱体と補強体を表した斜視図である。
【図５】第１実施形態の長尺状箱体と長尺状前面板と補強体を図１の線Ｂ−Ｂで切断した断面図である。
【図６】第１実施形態の長尺状箱体と長尺状前面板と補強体を図１の線Ｂ−Ｂで切断した断面図であって、第１実施形態の三点曲げ衝突解析結果を表した図である。
【図７】第１実施形態の三点曲げ衝突解析した結果（変形量、荷重及びエネルギー吸収量の関係）を表した図である。
【図８】第２実施形態の長尺状箱体と補強体を表した斜視図である。
【図９】第２実施形態の長尺状箱体と長尺状前面板と補強体を図１の線Ｂ−Ｂで切断した断面図である。
【図１０】第２実施形態の長尺状箱体と長尺状前面板と補強体を図１の線Ｂ−Ｂで切断した断面図であって、第２実施形態の三点曲げ衝突解析結果を表した図である。
【図１１】第２実施形態の三点曲げ衝突解析した結果（変形量、荷重及びエネルギー吸収量の関係）を表した図である。
【図１２】比較例の長尺状箱体と長尺状前面板を図１の線Ｂ−Ｂで切断した断面図である。
【図１３】比較例の長尺状箱体と長尺状前面板を図１の線Ｂ−Ｂで切断した断面図であって、比較例の三点曲げ衝突解析した結果を表した図である。
【図１４】三点曲げ衝突解析結果（ピーク荷重／質量比）を、比較例、第１実施形態及び第２実施形態で比較した図である。
【図１５】三点曲げ衝突解析結果（エネルギー吸収量／質量比）を、比較例、第１実施形態及び第２実施形態で比較した図である。
【図１６】第１実施形態の変更例（長尺状箱体と長尺状前面板と補強体）を図１の線Ｂ−Ｂで切断した断面図である。
【発明を実施するための形態】
【００２１】
［１．第１実施形態と第２実施形態の共通構成］
本発明に係るバンパリインフォースメントについて、具体化した実施形態に基づき、図面を参照しつつ詳細に説明する。図１に表されたように、本実施形態に係るバンパリインフォースメント１は、長手方向の両端を後退させた湾曲形状であり、長尺状箱体２と長尺状前面板３を備える。長尺状箱体２や長尺状前面板３は、スチール製である。
【００２２】
長尺状箱体２は、図２に表されたように、後面４、上面５、下面６、上側フランジ７、下側フランジ８及び開口前面９を備える。
【００２３】
長尺状箱体２では、開口前面９が開放される。後面４が、開口前面９に対向して設けられる。上面５が、後面４の上側から開口前面９に向かって延設される。下面６が、後面４の下側から開口前面９に向かって延設され、上面５に対向して設けられる。上側フランジ７が、上面５の開口前面９側から上方に向かって延設される。下側フランジ８が、下面６の開口前面９側から下方に向かって延設される。
【００２４】
図１や図２に表されたように、長尺状前面板３が長尺状箱体２の上側フランジ７と下側フランジ８に接合される。その接合には、スポット溶接が用いられる。
【００２５】
本実施形態に係るバンパリインフォースメント１は、図３に表されたように、長尺状箱体２の長尺方向中央Ａで、補強体１０が長尺状箱体２に内設される。補強体１０は、長尺状箱体２や長尺状前面板３と同様にして、スチール製である。
【００２６】
本実施形態に係るバンパリインフォースメント１では、異なる態様である２つの補強体１０が使用される。以下、本実施形態に係るバンパリインフォースメント１は、補強体１０の態様に応じて、第１実施形態と第２実施形態に分けて説明する。尚、第１実施形態と第２実施形態の説明では、本実施形態に係るバンパリインフォースメント１と共通する部分には同一の符号を付し、詳しい説明は省略する。
【００２７】
［２．第１実施形態］
先ず、第１実施形態について説明する。第１実施形態では、図４に表されたように、長尺状箱体２の長尺方向中央Ａで、補強体１０Ａが長尺状箱体２に内設される。
【００２８】
補強体１０Ａは、図４や図５に表されたように、空洞体であり、後面２１、上側傾斜面２２、下側傾斜面２３、上面２４、下面２５及び前面２６を備える。
【００２９】
補強体１０Ａでは、上側傾斜面２２が、後面２１の上側から斜め上方に向かって延設される。下側傾斜面２３が、後面２１の下側から斜め下方に向かって延設される。上面２４が、上側傾斜面２２の上側から延設される。下面２５が、下側傾斜面２３の下側から延設され、上面２４に対向して設けられる。前面２６が、上面２４及び下面２５から延設される。
【００３０】
図５に表されたように、補強体１０Ａの後面２１は、長尺状箱体２の後面４に対向し、溶接箇所Ｐ１でのスポット溶接により、長尺状箱体２の後面４に固定される。補強体１０Ａの上側傾斜面２２の上側は、長尺状箱体２の上面５近傍に位置する。補強体１０Ａの下側傾斜面２３の下側は、長尺状箱体２の下面６近傍に位置する。補強体１０Ａの上面２４は、長尺状箱体２の上面５近傍で長尺状箱体２の上面５に対向する。補強体１０Ａの下面２５は、長尺状箱体２の下面６近傍で長尺状箱体２の下面６に対向する。補強体１０Ａの前面２６は、長尺状箱体２の開口前面９に対向する。
【００３１】
尚、上述したように、長尺状前面板３が長尺状箱体２の上側フランジ７と下側フランジ８に接合される。その接合には、溶接箇所Ｐ２，Ｐ３でのスポット溶接が用いられる。
【００３２】
有限要素法解析ソフト（商品名：ＰＡＭ−ＣＲＡＳＨ  ６４−Ｂｉｔ  Ｓｏｌｖｅｒｓ
２０１２．１）を用いて、第１実施形態の三点曲げ衝突解析を行った。三点曲げ衝突解析では、長尺状箱体２の長尺方向中央Ａで、長尺状前面板３に衝突荷重を作用させた。
【００３３】
解析結果によれば、長尺状箱体２の長尺方向中央Ａで切断された断面では、変形量が最大になると、図６に表されたように、長尺状箱体２の上面５のうち補強体１０Ａの上面２４に対向する部分２７が、長尺状箱体２の内側に変形し、補強体１０Ａの上面２４に当接している。長尺状箱体２の下面６のうち補強体１０Ａの下面２５に対向する部分２８が、長尺状箱体２の内側に変形し、補強体１０Ａの下面２５に当接している。これに対し、補強体１０Ａの上面２４及び下面２５は、上下方向の変形は少ない。
【００３４】
図７に表されたように、第１実施形態では、第１所定の変形量［ｍｍ］までは荷重［ｋＮ］が比例して増加し、第１所定の変形量［ｍｍ］を過ぎると、荷重［ｋＮ］が略一定となる。そのため、エネルギー吸収量［ｋＪ］は、変形量［ｍｍ］が増加するに伴い、ほぼ一次的に比例するように増加する。
【００３５】
［３．第２実施形態］
次に、第２実施形態について説明する。第２実施形態では、図８に表されたように、長尺状箱体２の長尺方向中央Ａで、補強体１０Ｂが長尺状箱体２に内設される。
【００３６】
補強体１０Ｂは、図８や図９に表されたように、断面が略くの字状であり、後面４１、上側傾斜面４２、下側傾斜面４３、上面４４、下面４５、上側フランジ４６及び下側フランジ４７を備える。
【００３７】
補強体１０Ｂでは、上側傾斜面４２が、後面４１の上側から斜め上方に向かって延設される。下側傾斜面４３が、後面４１の下側から斜め下方に向かって延設される。上面４４が、上側傾斜面４２の上側から延設される。下面４５が、下側傾斜面４３の下側から延設され、上面４４に対向して設けられる。上側フランジ４６が、上面４４から上方に向かって延設される。下側フランジ４７が、下面４５から上方に向かって延設される。
【００３８】
図９に表されたように、補強体１０Ｂの後面４１は、長尺状箱体２の後面４に対向し、溶接箇所Ｐ４でのスポット溶接により、長尺状箱体２の後面４に固定される。補強体１０Ｂの上側傾斜面４２の上側は、長尺状箱体２の上面５近傍に位置する。補強体１０Ｂの下側傾斜面４３の下側は、長尺状箱体２の下面６近傍に位置する。補強体１０Ｂの上面４４は、長尺状箱体２の上面５近傍で長尺状箱体２の上面５に対向する。補強体１０Ｂの下面４５は、長尺状箱体２の下面６近傍で長尺状箱体２の下面６に対向する。補強体１０Ｂの上側フランジ４６は、長尺状箱体２の上側フランジ７と長尺状前面板３の間に挟んだ状態で取り付けられ、溶接箇所Ｐ５でのスポット溶接により、長尺状箱体２の上側フランジ７と長尺状前面板３に固定される。補強体１０Ｂの下側フランジ４７は、長尺状箱体２の下側フランジ８と長尺状前面板３の間に挟んだ状態で取り付けられ、溶接箇所Ｐ６でのスポット溶接により、長尺状箱体２の下側フランジ８と長尺状前面板３に固定される。
【００３９】
尚、上述したように、補強体１０Ｂの上側フランジ４６及び下側フランジ４７を介して、長尺状前面板３が長尺状箱体２の上側フランジ７と下側フランジ８に接合される。その接合には、溶接箇所Ｐ５，Ｐ６でのスポット溶接が用いられる。
【００４０】
第１実施形態と同様にして、有限要素法解析ソフト（商品名：ＰＡＭ−ＣＲＡＳＨ  ６４−Ｂｉｔ  Ｓｏｌｖｅｒｓ  ２０１２．１）を用いて、第２実施形態の三点曲げ衝突解析を行った。三点曲げ衝突解析では、長尺状箱体２の長尺方向中央Ａで、長尺状前面板３に衝突荷重を作用させた。
【００４１】
解析結果によれば、長尺状箱体２の長尺方向中央Ａで切断された断面では、変形量が最大になると、図１０に表されたように、長尺状箱体２の上面５のうち補強体１０Ｂの上面４４に対向する部分４８が、長尺状箱体２の内側に変形し、補強体１０Ｂの上面４４に当接している。長尺状箱体２の下面６のうち補強体１０Ｂの下面４５に対向する部分４９が、長尺状箱体２の内側に変形し、補強体１０Ｂの下面４５に当接している。これに対し、補強体１０Ｂの上面４４及び下面４５は、上下方向の変形は少ない。
【００４２】
図１１に表されたように、第２実施形態では、第２所定の変形量［ｍｍ］までは荷重［ｋＮ］が比例して増加し、第２所定の変形量［ｍｍ］を過ぎると、荷重［ｋＮ］が上下に変動しながら減少する。そのため、エネルギー吸収量［ｋＪ］は、変形量［ｍｍ］が増加するに伴い、所定量に漸次接近するように増加する。
【００４３】
［４．比較例］
次に、比較例について説明する。比較例のバンパリインフォースメント１では、第１実施形態や第２実施形態と同様にして、長手方向の両端を後退させた湾曲形状であり、長尺状箱体２と長尺状前面板３を備える（図１乃至図３参照）。長尺状箱体２や長尺状前面板３は、スチール製である。但し、第１実施形態や第２実施形態とは異なり、補強体（１２Ａ及び１２Ｂ）は、長尺状箱体２に内設されない。
【００４４】
比較例では、図１２に表されたように、長尺状前面板３が長尺状箱体２の上側フランジ７と下側フランジ８に接合される。その接合には、溶接箇所Ｐ７，Ｐ８でのスポット溶接が用いられる。
【００４５】
第１実施形態や第２実施形態と同様にして、有限要素法解析ソフト（商品名：ＰＡＭ−ＣＲＡＳＨ  ６４−Ｂｉｔ  Ｓｏｌｖｅｒｓ  ２０１２．１）を用いて、比較例の三点曲げ衝突解析を行った。三点曲げ衝突解析では、長尺状箱体２の長尺方向中央Ａで、長尺状前面板３に衝突荷重を作用させた。
【００４６】
解析結果によれば、長尺状箱体２の長尺方向中央Ａで切断された断面では、変形量が最大になると、図１３に表されたように、長尺状箱体２の開口前面９近傍で、長尺状箱体２の上面５及び下面６が長尺状箱体２の内側に大きく変形している。その変形で狭くなった長尺状箱体２の上面５と下面の間では、長尺状前面板３が長尺状箱体２の中に食い込んで大きく変形している。
【００４７】
［５．解析結果の比較］
第１実施形態や第２実施形態の解析結果を比較例の解析結果と比較する。図１４に表されたように、質量あたりのピーク荷重は、第１実施形態や第２実施形態は比較例と比べ格段に大きい。図１５に表されたように、質量あたりのエネルギー吸収量は、第１実施形態や第２実施形態は比較例と比べ格段に多い。
【００４８】
このように、質量あたりのピーク荷重や質量あたりのエネルギー吸収量は、第１実施形態や第２実施形態が比較例より向上している。その理由としては、比較例では、長尺状箱体２の長尺方向中央Ａ付近に応力が集中する一方、第１実施形態や第２実施形態では、長尺状箱体２の長尺方向中央Ａを含んだ三点曲げ領域全体に応力が分散することが挙げられる。
【００４９】
［６．まとめ］
以上、詳細に説明した通り、第１実施形態や第２実施形態に係るバンパリインフォースメント１では、長尺状箱体２の開口前面９が開放される一方、長尺状箱体２の上側フランジ７と下側フランジ８に長尺状前面板３がスポット溶接で接合される。従って、第１実施形態や第２実施形態に係るバンパリインフォースメント１は、いわゆる逆ハット型の閉断面形状を備えている。
【００５０】
さらに、第１実施形態や第２実施形態に係るバンパリインフォースメント１は、長尺状箱体２の長尺方向中央Ａで長尺状箱体２に内設された補強体１０Ａ，１０Ｂを備えている。補強体１０Ａ，１０Ｂの後面２１，４１は、長尺状箱体２の後面４に対向するとともに、溶接箇所Ｐ１，Ｐ４でのスポット溶接により長尺状箱体２の後面４に固定される。補強体１０Ａ，１０Ｂの上側傾斜面２２，４２の上側は、長尺状箱体２の上面５近傍に位置する。補強体１０Ａ，１０Ｂの下側傾斜面２３，４３の下側は、長尺状箱体２の下面６近傍に位置する。補強体１０Ａ，１０Ｂの上面２４，４４は、長尺状箱体２の上面５近傍で長尺状箱体２の上面５に対向する。補強体１０Ａ，１０Ｂの下面２５，４５は、長尺状箱体２の下面６近傍で長尺状箱体２の下面６に対向する。
【００５１】
このような構成により、長尺状箱体２の長尺方向中央Ａで長尺状前面板３に衝突が起きた場合（三点曲げ衝突解析結果）では、長尺状箱体２の上面５や下面６のうち、補強体１０Ａ，１０Ｂの上面２４，４４や下面２５，４５の近傍に位置する部分２７，２８，４８，４９は、長尺状箱体２の内側に変形して、補強体１０Ａ，１０Ｂの上面２４，４４や下面２５，４５に当接する。つまり、長尺状箱体２の長尺方向中央Ａでは、長尺状箱体２の上面５や下面６が長尺状箱体２の内側に変形するが、その変形は補強体１０Ａ，１０Ｂの上面２４，４４や下面２５，４５に阻害されるので、断面崩れが抑制される。従って、第１実施形態や第２実施形態に係るバンパリインフォースメント１は、いわゆる逆ハット型の閉断面形状の断面崩れを抑制することにより、単位質量あたりのピーク荷重及びエネルギー吸収量を向上させることが可能である。
【００５２】
第１実施形態に係るバンパリインフォースメント１では、補強体１０Ａは、上面２４及び下面２５から延設された前面２６を備える。補強体１０Ａの前面２６は、長尺状箱体２の開口前面９に対向する。このような構成により、補強体１０Ａの上面２４や下面２５は変形し難くなる。従って、第１実施形態に係るバンパリインフォースメント１では、長尺状箱体２の内側変形を阻害させる効果が高い。
【００５３】
第２実施形態に係るバンパリインフォースメント１では、補強体１０Ｂは、上面４４から上方に向かって延設された上側フランジ４６と、下面４５から下方に向かって延設された下側フランジ４７を備える。補強体１０Ｂの上側フランジ４６は、長尺状箱体２の上側フランジ７と長尺状前面板３の間に挟装される。補強体１０Ｂの下側フランジ４７は、長尺状箱体２の下側フランジ８と長尺状前面板３の間に挟装される。このような構成により、補強体１０Ｂの上面４４や下面４５は変形し難くなる。従って、第２実施形態に係るバンパリインフォースメント１では、長尺状箱体２の内側変形を阻害させる効果が高い。
【００５４】
［７．その他］
尚、本発明は上記実施形態に限定されるものでなく、その趣旨を逸脱しない範囲で様々な変更が可能である。
例えば、第１実施形態に係るバンパリインフォースメント１を変更した例（以下、「変更例のバンパリインフォースメント１」という。）がある。以下、この変更例を説明するが、この変更例の説明では、第１実施形態に係るバンパリインフォースメント１と共通する部分には同一の符号を付し、詳しい説明は省略する。
【００５５】
図１６に表したように、変更例のバンパリインフォースメント１では、補強体１０Ａの前面２６が、溶接箇所Ｐ９でのスポット溶接により、長尺状前面板３に固定される。従って、補強体１０Ａの前面２６が溶接箇所Ｐ９で長尺状前面板３に固定されると共に、補強体１０Ａの後面２１が溶接箇所Ｐ１で長尺状箱体２の後面４に固定される。
【００５６】
このような構成により、変更例のバンパリインフォースメント１は、長尺状箱体２の長尺方向中央Ａで長尺状前面板３に衝突が起きた場合に、その衝突力を長尺状前面板３及び長尺状箱体２の後面４から補強体１０Ａに伝達させるので、単位質量あたりのピーク荷重及びエネルギー吸収量を向上させることが可能である。
【００５７】
変更例のバンパリインフォースメント１では、図１６に表したように、補強体１０Ａの上面２４，下面２５の断面長さＬ１が、長尺状箱体２の上面５，下面６の断面長さＬＡの３分の１以下とされる。このような構成により、変更例のバンパリインフォースメント１は、質量効率よく強度を確保することが可能である。
【００５８】
変更例のバンパリインフォースメント１では、図１６に表したように、補強体１０Ａの後面２１の断面長さＬ２が、長尺状箱体２の後面４の断面長さＬＢの２分の１以下とされる。このような構成により、変更例のバンパリインフォースメント１は、質量効率よく強度を確保することが可能である。
【００５９】
変更例のバンパリインフォースメント１では、長尺状箱体２の材料強度と補強体１０Ａの材料強度が等しく、長尺状箱体２及び補強体１０Ａの各材料強度が長尺状前面板３の材料強度より大きい。このような材料強度の大小関係により、変更例のバンパリインフォースメント１は、長尺状箱体２の長尺方向中央Ａで長尺状前面板３に衝突が起きた場合に、長尺状前面板３に発生する応力を低減させるので、長尺状箱体２の長尺方向中央Ａで折れることを防止することが可能である。
【００６０】
第１実施形態に係るバンパリインフォースメント１、第２実施形態に係るバンパリインフォースメント１、及び変更例のバンパリインフォースメント１において、長尺状箱体２、長尺状前面板３及び補強体１０Ａ，１０Ｂの材料は、スチールの使用に限定されるものでなく、バンパリインフォースメント１に適用可能な材料（例えば、アルミニウムまたはCFRP（炭素繊維強化プラスチック）等）が使用される。
【００６１】
符号Ｐ１，Ｐ２をはじめとする接合（溶接）箇所については、スポット溶接以外にも、レーザー溶接、アーク溶接、カシメ、リベット等が含まれる。
【符号の説明】
【００６２】
１  バンパリインフォースメント
２  長尺状箱体
３  長尺状前面板
４  長尺状箱体の後面
５  長尺状箱体の上面
６  長尺状箱体の下面
７  長尺状箱体の上側フランジ
８  長尺状箱体の下側フランジ
９  長尺状箱体の開口前面
１０，１０Ａ，１０Ｂ  補強体
２１，４１  補強体の後面
２２，４２  補強体の上側傾斜面
２３，４３  補強体の下側傾斜面
２４，４４  補強体の上面
２５，４５  補強体の下面
２６  補強体の前面
４６  補強体の上側フランジ
４７  補強体の下側フランジ
Ａ  長尺状箱体の長尺方向中央
【図１】
0006484190.tif 000002
【図２】
0006484190.tif 000003
【図３】
0006484190.tif 000004
【図４】
0006484190.tif 000005
【図５】
0006484190.tif 000006
【図６】
0006484190.tif 000007
【図７】
0006484190.tif 000008
【図８】
0006484190.tif 000009
【図９】
0006484190.tif 000010
【図１０】
0006484190.tif 000011
【図１１】
0006484190.tif 000012
【図１２】
0006484190.tif 000013
【図１３】
0006484190.tif 000014
【図１４】
0006484190.tif 000015
【図１５】
0006484190.tif 000016
【図１６】
0006484190.tif 000017